(57)【特許請求の範囲】
【請求項１】
上端筋、下端筋、およびあばら筋がコンクリート内に埋め込まれ、前後面に貫通した開口部を有するＲＣ造梁において、
それぞれ前記開口部の上方および下方で梁長手方向に沿って配置された上下の水平補強筋と、前記開口部の全周を囲み前記上下の水平補強筋に接合された線状または平板状の金属材からなる開口周囲補強材とが前記コンクリート内に埋め込まれ、前記開口周囲補強材の全体と前記水平補強筋とが、前記ＲＣ造梁の長手方向に沿う同一垂直面に位置し、
前記開口周囲補強材が、上下端に水平な辺を持つ多角形の閉鎖形状に屈曲した多角形補強筋であって、前記上下端の水平な各辺が前記上下の水平補強筋にそれぞれ接合され、
それぞれ前記多角形補強筋の左右の辺に沿う中間部分、およびこの中間部分の上下端から前記多角形補強筋に対して離れるように斜め方向に延びる上下の傾斜部分を有する一対の弓形定着筋が設けられ、これら弓形定着筋が、前記多角形補強筋の左右の辺に接合され、かつ前記弓形定着筋が前記水平補強筋および多角形補強筋と共に前記同一垂直面に配置されたＲＣ造梁における開口部補強構造。
【請求項２】
上端筋、下端筋、およびあばら筋がコンクリート内に埋め込まれ、前後面に貫通した開口部を有するＲＣ造梁において、
それぞれ前記開口部の上方および下方で梁長手方向に沿って配置された上下の水平補強筋と、前記開口部の全周を囲み前記上下の水平補強筋に接合された線状または平板状の金属材からなる開口周囲補強材とが前記コンクリート内に埋め込まれ、前記開口周囲補強材の全体と前記水平補強筋とが、前記ＲＣ造梁の長手方向に沿う同一垂直面に位置し、
前記開口周囲補強材が、前記上下の水平補強筋にそれぞれ沿う上下の直線部分を有していて、これら上下の直線部分が全長に渡ってそれぞれ前記上下の水平補強筋に接合され、 前記開口周囲補強材が、上下端に水平な辺を持つ多角形の閉鎖形状に屈曲した多角形補強筋であって、前記上下端の水平な各辺を前記上下の水平補強筋にそれぞれ接合され、
それぞれ前記多角形補強筋の左右の辺に沿う中間部分、およびこの中間部分の上下端から前記多角形補強筋に対して離れるように斜め方向に延びる上下の傾斜部分を有する一対の弓形定着筋が設けられ、これら弓形定着筋が、前記多角形補強筋の左右の辺に接合され、かつ前記弓形定着筋を前記水平補強筋および多角形補強筋と共に前記同一垂直面に配置されたＲＣ造梁における開口部補強構造。
【請求項３】
上端筋、下端筋、およびあばら筋がコンクリート内に埋め込まれ、前後面に貫通した開口部を有するＲＣ造梁において、
それぞれ前記開口部の上方および下方で梁長手方向に沿って配置された上下の水平補強筋と、前記開口部の全周を囲み前記上下の水平補強筋に接合された線状または平板状の金属材からなる開口周囲補強材とが前記コンクリート内に埋め込まれ、前記開口周囲補強材の全体と前記水平補強筋とが、前記ＲＣ造梁の長手方向に沿う同一垂直面に位置し、
一対の部分あばら筋からなるあばら筋対が前記開口部の上下にそれぞれ配置され、このあばら筋対は、梁横断面の前後幅方向に延びて両端にフック部を有する溝形の部分あばら筋と、梁横断面の前後幅方向に延びる溝形の部分あばら筋とが、上下に互いに向かい合わせて相互に結合され、前記フック部が、鉄筋からなる前記開口周囲補強材の水平辺部に係合し、
前記開口周囲補強材が、上下端に水平な辺を持つ多角形の閉鎖形状に屈曲した多角形補強筋であって、前記上下端の水平な各辺を前記上下の水平補強筋にそれぞれ接合され、
それぞれ前記多角形補強筋の左右の辺に沿う中間部分、およびこの中間部分の上下端から前記多角形補強筋に対して離れるように斜め方向に延びる上下の傾斜部分を有する一対の弓形定着筋が設けられ、これら弓形定着筋が、前記多角形補強筋の左右の辺に接合され、かつ前記弓形定着筋を前記水平補強筋および多角形補強筋と共に前記同一垂直面に配置されたＲＣ造梁における開口部補強構造。
【発明の詳細な説明】
【技術分野】
【０００１】
この発明は、人通孔等の大開口部を有する基礎梁等のＲＣ造梁における開口部補強構造に関する。
【背景技術】
【０００２】
中高層住宅や、事務所ビル、流通施設等の建物において、基礎梁等のＲＣ造梁に人が通れるような大きな開口部を設けることが必要な場合がある。例えば、１階がピット形式となる建物においては、ピット内部を定期的に点検する必要がある。この対策として、基礎梁で区切られたエリアに入れるように、基礎梁に点検用の作業者が通る開口部を設けることがある。
【０００３】
基礎梁に開口部を設ける場合、開口部の口径が大きくなるほど、せん断強度および剛性が下がるため、梁せいを高くしなくはならない。日本建築学会のＲＣ規準では、基礎梁の開口部の口径の推奨値は、梁せいの１／３までとされている。そのため、大きな開口部が必要な場合は、それだけＲＣ造梁の全体の梁せいを高くしなければならず、建物の構造計算で必要な梁せいよりも高くなる不経済な梁せいにする必要がある。また、基礎梁の場合、梁せいが高くなることに伴って、地盤の掘削量、残土処分量、型枠量が増加し、工期の長期化、原価増に繋がる。
【０００４】
このようなＲＣ造梁の開口部を補強する技術として、斜め補強筋、開口際補強筋、上下水平鉄筋、上下補強筋などの各種の補強鉄筋を組み合わせて開口部の周囲に配置するものが多数提案されている（例えば特許文献１〜３）。これらの各種の補強鉄筋を組み合わせるとき、単に互いに交差させて配置するものもあれば、専用金具を用いて互いの補強鉄筋を緊結するものもある。また、上記補強筋の形状としては、斜め補強筋に代えて、円形や多角形の閉鎖型配筋を用いたものや、鋼管とフラットバーのような鉄筋以外の鋼材を加工して補強材とするものもある。
【先行技術文献】
【特許文献】
【０００５】
【特許文献１】特許第３５１９２６１号公報
【特許文献２】特許第３５５６５０５号公報
【特許文献３】特許第５０１２０３９号公報
【特許文献４】特開２０１１−８０２８７号公報
【発明の概要】
【発明が解決しようとする課題】
【０００６】
上記した各種の補強鉄筋（斜め補強筋、開口際補強筋、上下水平鉄筋、上下補強筋等）は、開口部の周囲において互いに交差して配置されることが多く、梁幅方向での配筋が過密となり、コンクリート打設に障害が生じる恐れがある。また、補強鉄筋として、斜め補強筋に代えて円形や多角形の閉鎖型配筋が用いられることがあるが、これら閉鎖型配筋のコンクリート定着効果や、上下水平補強筋との応力伝達を考慮した配筋がなされているとは言い難い。
【０００７】
この発明の目的は、開口部周囲に配置される補強材が梁幅方向で過密とならないように開口部をせん断補強でき、梁せいを高くすることなく大きな開口部を形成することができるＲＣ造梁における開口部補強構造を提供することである。
この発明の他の目的は、開口部周囲に配置される補強材のコンクリートへの定着効果を向上させることである。
【課題を解決するための手段】
【０００８】
この発明における第１ないし第３のＲＣ造梁における開口部補強構造の共通構造は、上端筋、下端筋、およびあばら筋がコンクリート内に埋め込まれ、前後面に貫通した開口部を有するＲＣ造梁において、
それぞれ前記開口部の上方および下方で梁長手方向に沿って配置された上下の水平補強筋と、前記開口部の全周を囲み前記上下の水平補強筋に接合された線状または平板状の金属材からなる開口周囲補強材とを前記コンクリート内に埋め込み、前記開口周囲補強材の全体と前記水平補強筋とを、前記ＲＣ造梁の長手方向に沿う同一垂直面に位置させたものである。
【０００９】
この構成によると、開口部の周囲に位置して、上下の水平補強筋と開口部を囲む開口周囲補強材とを設けたため、ＲＣ造梁の開口部をせん断補強でき、剛性低下も回避できる。開口周囲補強材は上下の水平補強筋に接合するので、コンクリートへの定着性も良い。これらのため、梁せいを高くすることなく大きな口径の開口部を形成することができる。
前記開口周囲補強材の全体と前記水平補強筋とは、ＲＣ造梁の長手方向に沿う同一垂直面に位置させるため、開口部周囲に配置される補強材が梁幅方向で過密とならないように開口部を補強でき、補強材がコンクリート打設の邪魔になるのを回避できる。そのため、開口部補強を行いながら、施工性にも優れる。
なお、開口周囲補強材の全体と水平補強筋とを同一垂直面に位置させる構成は、開口周囲補強材を交差部等を生じない一体構成とし、かつ水平補強筋と開口周囲補強材をフレア溶接することなどで実現できる。
【００１０】
この発明における第１のＲＣ造梁における開口部補強構造は、前記開口周囲補強材が、上下端に水平な辺を持つ多角形の閉鎖形状に屈曲した多角形補強筋であって、前記上下端の水平な各辺を前記上下の水平補強筋にそれぞれ接合されている。前記多角形補強筋は、交差部を生じないように１本の鉄筋が連続する多角形とすることで、全体を同一の垂直面に位置させることができる。上下端に水平な辺を持つ多角形としては、例えば、八角形、六角形、十角形等が採用できる。
この構成の場合、開口周囲補強材が鉄筋からなり、全て鉄筋で補強できるため、原価増が抑えられる。前記開口周囲補強材は多角形補強筋であるため、円形に丸めた鉄筋とする場合と異なり、上下端に前記水平な辺を有する形状とでき、その辺の全体に渡って水平補強筋と溶接等で接合でき、梁幅方向に重なり部を生じさせることなく堅固に接合できる。
【００１１】
この発明における第１のＲＣ造梁における開口部補強構造は、前記開口周囲補強材を多角形補強筋として、さらに、それぞれ前記多角形補強筋の左右の辺に沿う中間部分、およびこの中間部分の上下端から前記多角形補強筋に対して離れるように斜め方向に延びる上下の傾斜部分を有する一対の弓形定着筋を設け、これら弓形定着筋を、前記多角形補強筋の左右の辺に接合し、かつ前記弓形定着筋を前記水平補強筋および多角形補強筋と共に前記同一垂直面に配置する。
前記水平補強筋と多角形補強筋とを接合した構成であっても、コンクリートに対してある程度は優れた定着性が得られるが、前記のように一対の弓形定着筋を別に設けた場合は、開口周囲補強材等のコンクリートへの定着効果を、弓形定着筋により向上させることができる。弓形定着筋を追加しても、多角形補強筋と同一垂直面に位置させることで、梁幅方向に配筋が過密となることが回避できる。
前記多角形補強筋が八角形である場合は、左右端に上下方向に沿う辺が生じるため、この上下方向の辺の全長で弓形定着筋と接合することで、弓形定着筋と堅固に接合できる。  この発明における第２のＲＣ造梁における開口部補強構造は、前記第１ないし第３のＲＣ造梁における開口部補強構造の共通構造において、前記開口周囲補強材が、前記上下の水平補強筋にそれぞれ沿う上下の直線部分を有していて、これら上下の直線部分が全長に渡ってそれぞれ前記上下の水平補強筋接合されている。
この発明における第３のＲＣ造梁における開口部補強構造は、前記第１ないし第３のＲＣ造梁における開口部補強構造の共通構造において、一対の部分あばら筋からなるあばら筋対が前記開口部の上下にそれぞれ配置され、このあばら筋対は、梁横断面の前後幅方向に延びて両端にフック部を有する溝形の部分あばら筋と、梁横断面の前後幅方向に延びる溝形の部分あばら筋とが、上下に互いに向かい合わせて相互に結合され、前記フック部が、鉄筋からなる前記開口周囲補強材の水平辺部に係合している。
また、この発明における第２および第３のＲＣ造梁における開口部補強構造は、いずれも、前記開口周囲補強材が、上下端に水平な辺を持つ多角形の閉鎖形状に屈曲した多角形補強筋であって、前記上下端の水平な各辺を前記上下の水平補強筋にそれぞれ接合され、それぞれ前記多角形補強筋の左右の辺に沿う中間部分、およびこの中間部分の上下端から前記多角形補強筋に対して離れるように斜め方向に延びる上下の傾斜部分を有する一対の弓形定着筋が設けられ、これら弓形定着筋が、前記多角形補強筋の左右の辺に接合され、かつ前記弓形定着筋が前記水平補強筋および多角形補強筋と共に前記同一垂直面に配置されている。
【００１２】
この発明において、前記開口周囲補強材が前記開口部の外周に沿う開口を有する開口付き補強鋼板であり、この開口付き補強鋼板の上下の辺を前記上下の水平補強筋にそれぞれ沿わせてこれら水平補強筋に接合しても良い。
この構成の場合も、上下の水平補強筋と、開口周囲補強材である開口付き補強鋼板とを、ＲＣ造梁の長手方向に沿う同一垂直面に位置させることができるので、開口部周囲に配置される補強材が梁幅方向で過密とならないように開口部をせん断補強できる。
【００１３】
前記開口周囲補強材が前記開口付き補強鋼板である場合に、前記開口付き補強鋼板が複数の定着用の孔を有する孔あき鋼板ジベルであっても良い。
開口付き補強鋼板が孔あき鋼板ジベルである場合、その定着用の孔によりコンクリートへの定着効果を向上させることができる。
【００１４】
この発明において、前記ＲＣ造梁が基礎梁であっても良い。基礎梁の場合、梁せいの増加は、地盤の掘削量、残土処分量、型枠量の増加を伴い、これにより工期の長期化、原価増に繋がる。そのため、この発明による梁せいを増加させることなく大きな開口部を得ることができる効果が、より一層効果的に発揮させる。
【発明の効果】
【００１５】
この発明のＲＣ造梁における開口部補強構造は、上端筋、下端筋、およびあばら筋がコンクリート内に埋め込まれ、前後面に貫通した開口部を有するＲＣ造梁において、それぞれ前記開口部の上方および下方で梁長手方向に沿って配置された上下の水平補強筋と、前記開口部の全周を囲み前記上下の水平補強筋に接合された線状または平板状の金属材からなる開口周囲補強材とを前記コンクリート内に埋め込み、前記開口周囲補強材の全体と前記水平補強筋とを、前記ＲＣ造梁の長手方向に沿う同一垂直面に位置させたため、開口部周囲に配置される補強材が梁幅方向で過密とならないように開口部をせん断補強でき、梁せいを高くすることなく大きな開口部を形成することができる。
特に、前記ＲＣ造梁が基礎梁である場合は、この発明の梁せいを高くすることなく大きな開口部を形成できるという効果によって、地盤の掘削量、残土処分量、型枠量の増加が回避でき、工期の短縮、原価低減が図れる。
【図面の簡単な説明】
【００１６】
【図１】（Ａ）はこの発明の第１の実施形態にかかるＲＣ造梁における開口部補強構造を示す断面図、（Ｂ）は同開口部補強構造における補強材の正面図である。
【図２】（Ａ）は同ＲＣ造梁を開口部で断面した横断面図、（Ｂ）は同ＲＣ造梁の変形例の断面図である
【図３】同ＲＣ造梁における水平補強筋と多角形補強筋との溶接による接合部を拡大して示す横断面図である。
【図４】（Ａ）はこの発明の他の実施形態にかかるＲＣ造梁における開口部補強構造を示す断面図、（Ｂ）は同開口部補強構造における補強材の正面図である。
【図５】この発明のさらに他の実施形態にかかるＲＣ造梁における開口部補強構造を示す断面図である。
【図６】（Ａ）はこの発明のさらに他の実施形態にかかるＲＣ造梁における開口部補強構造を示す縦断面図、（Ｂ）は同ＲＣ造梁を開口部で断面した横断面図である。
【図７】同開口部補強構造に用いる多角形補強筋の正面図である。
【図８】（Ａ）は同開口部補強構造における上下の水平補強筋の正面図、（Ｂ）は同開口部補強構造におけるあばら筋および部分あばら筋対の側面図、（ｃ）は同部分あばら筋対の分解状態の正面図、（Ｄ）はその部分あばら筋の対を重ねて配置した状態を示す斜視図である。
【図９】（Ａ）は部分あばら筋の対の他の例を示す側面図、（Ｂ）は同部分あばら筋の対を重ねて接合した状態を示す斜視図、（Ｃ）は部分あばら筋の対のさらに他の例を示す側面図、（Ｄ）は同部分あばら筋の対を重ねて接合した状態を示す斜視図である。
【図１０】（Ａ）はこの発明のさらに他の実施形態にかかるＲＣ造梁における開口部補強構造を示す断面図、（Ｂ）は同開口部補強構造における補強材の正面図である。
【図１１】（Ａ）はこの発明のさらに他の実施形態にかかるＲＣ造梁における開口部補強構造を示す断面図、（Ｂ）は同開口部補強構造における補強材の正面図である。
【発明を実施するための形態】
【００１７】
この発明の第１の実施形態を図１ないし図３と共に説明する。図１（Ａ）はこの実施形態の開口部補強構造を適用したＲＣ造梁の縦断面図を示し、図１（Ｂ）は同補強構造を構成する補強材の正面図を示す。図２（Ａ）は同ＲＣ造梁の横断面図を示す、図２（Ｂ）はその変形例を示す。図１（Ａ）に示すＲＣ造梁２０は、前後面に貫通した断面円形の開口部１をコンクリート５の部分に有し、上下の軸方向に沿って配置された主筋である上端筋２および下端筋３と、これら上端筋２および下端筋３を囲むように配置されたあばら筋４とが、前記開口部１を避けてコンクリート５内に埋め込まれている。上端筋２および下端筋３は、それぞれ水平方向に複数本、例えば２〜６本が配筋されている。ＲＣ造梁２０は、この例では１階がピット形式となる建物における基礎梁であり、開口部１は人通孔である。ＲＣ造梁２０は、基礎梁に限らず、上部構造の梁であっても良い。
【００１８】
コンクリート５内には、前記開口部１を補強する補強材として、開口部１の上方および下方に位置し、梁長手方向に沿って配置された上下の水平補強筋６，７と、開口部１の全周を囲み前記上下の水平補強筋６，７に接合された開口周囲補強材となる多角形補強筋１８とが埋め込まれている。この多角形補強筋１８として、ここでは正八角形の閉鎖形状に屈曲した八角形補強筋が用いられ、その上下端の水平な２辺１８ａが、前記上下の水平補強筋６，７にそれぞれ沿って位置し、これら水平補強筋６，７に接合されている。また、開口部１の上方および下方には、上端筋２と上の水平補強筋６とを囲む部分あばら筋９、および下端筋３と下の水平補強筋７とを囲む部分あばら筋１０が配置されている。多角形補強筋１８の上下端の辺１８ａが存在する箇所では、あばら筋９，１０は多角形補強筋１８よりも開口側に位置させている。これらのあばら筋９，１０により、せん断補強と共に、コンクリート打設前における水平補強筋６，７および多角形補強筋１８の位置を、上端筋２および下端筋３に対して位置決めしている。水平補強筋６，７の長さは、開口部１の幅よりも長く、適宜の長さとされる。
【００１９】
図２に示すように、多角形補強筋１８の全体と上下の水平補強筋６，７とは、ＲＣ造梁２０の長手方向に沿う同一の垂直面Ｆ（なお、垂直面Ｆは１箇所のみ図示した）に位置させている。言わば、上下の水平補強筋６，７と多角形補強筋１８とで同一の構面を構成する。
より詳しくは、多角形補強筋１８は、１本の鉄筋を閉鎖形状に屈曲させて、交差部等を有しないように両端を接合し、水平補強筋６，７と多角形補強筋１８の上下端の２辺１８ａを水平補強筋６，７の真上または真下に位置させることで、多角形補強筋１８の全体と上下の水平補強筋６，７の各軸心を、前記同一の垂直面Ｆ内に位置させている。基礎幅方向における上下の水平補強筋６，７および多角形補強筋１８の組の配置箇所および配置数は、図２（Ａ）の例のように各上端筋２および下端筋３と同じ垂直面Ｆに位置するように揃えても良く、また同図（Ｂ）のように上端筋２および下端筋３が配置された箇所に対してその中間等のずれた箇所であっても良い。なお、上端筋２の本数と下端筋３の本数との配筋本数は異なっていても良い。
【００２０】
各水平補強筋６，７と多角形補強筋１８の各辺１８ａとの接合は、例えば、図３に拡大断面を示すように、各鉄筋の円形形状によって生じる両面に生じた各開先に溶接ビード４を設けるフレア溶接等の溶接部３１で行い、またその溶接は、水平補強筋６，７と多角形補強筋１８の各辺１８ａとが沿う範囲の全長、つまり辺１８ａの全長に渡って行う。
【００２１】
この構成によると、開口部１の周囲に位置して、上下の水平補強筋と６，７と開口周囲補強材８となる多角形補強筋１８とを設けたため、ＲＣ造梁２０の開口部１をせん断補強でき、剛性低下も回避できる。多角形補強筋１８は上下の水平補強筋６，７に接合するので、コンクリート５への定着性も良い。これらのため、梁せいＨを高くすることなく大きな口径の開口部１を形成することができる。
この例のようにＲＣ造梁２０が基礎梁である場合は、梁せいＨの増加は、地盤の掘削量、残土処分量、型枠量の増加を伴い、これにより工期の長期化、原価増に繋がるが、そのため、この実施形態による梁せいＨを増加させることなく大きな開口部を得ることができる効果が、より一層効果的に発揮される。
【００２２】
数値例で示すと、直径が開口部１が６００mmの開口部１を人通孔として設ける場合、従来構造の基礎梁では、開口部の口径の推奨値は梁せいの１／３であるため、１８００mmの梁せいとする必要がある。そのため、構造計算上では１５００mm程度の梁せいで良い場合であっても、１８００mmの梁せいとする必要があり、３００mmも構造計算値よりも高く基礎梁を構築する必要がある。上記実施形態のように水平補強筋と６，７と開口周囲補強材８とで補強することで、例えば開口部１の１／２．５の梁せいＨで良くなった場合、６００mmの開口部１を設ける場合でも、梁せいＨは１５００mmで済み、構造計算上で必要な梁せい（１５００mm）との差が少なくなる。このため、経済的な梁せいＨのＲＣ造梁２０とできる。
【００２３】
また、多角形補強筋１８の全体と水平補強筋６，７とは、ＲＣ造梁２０の長手方向に沿う同一垂直面Ｆに位置させたため、これらの補強筋を設けながら、開口部１の周囲に配置される補強材類が梁幅方向で過密とならないように開口部１を補強でき、補強材類がコンクリート打設の邪魔になるのを回避できる。そのため、開口部補強を行いながら、施工性にも優れる。
【００２４】
図４（Ａ）はこの発明の他の実施形態にかかる開口部補強構造を適用したＲＣ造梁の縦断面図を示し、図４（Ｂ）はその開口部補強構造を構成する補強材の正面図を示す。この実施形態では、図１の実施形態において、開口部１を補強する補強材として、前記多角形補強筋１８の上下方向に延びる左右の２辺に一対の弓型定着筋１１，１１を別に設け、これら弓形定着筋１１を多角形補強筋１８の左右の２辺１８ｂ，１８ｂの全長に渡り、それぞれフレア溶接等の溶接により接合している。弓型定着筋１１は、多角形補強筋１８の左右の２辺に沿う中間部分１１ａ、およびこの中間部分１１ａの上下端から多角形補強筋１８に対して離れるように斜め方向に延びる上下の傾斜部分１１ｂを有する。この場合、多角形補強筋１８、弓型定着筋１１、および上下の水平補強筋６，７を同一垂直面に配置する。この構成の場合、多角形補強筋１８、弓型定着筋１１、および水平補強筋６，７により一つの構面が構成される。その他の構成は、図１の実施形態の場合と同様である。
【００２５】
この実施形態では、補強材として開口周囲補強材８となる前記多角形補強筋１８に対して離れるように斜め方向に延びる上下の傾斜部分１１ｂを有する一対の弓形定着筋１１，１１を別に設けているので、開口部１の周囲に配筋する補強材のコンクリート５への定着効果を、前記弓形定着筋１１により向上させることができる。また、弓形定着筋１１の上下の傾斜部分１１ｂは、その中間部分１１ａの上下端から多角形補強筋１８に対して離れるように斜め方向に延びるので、弓型定着筋１１も多角形補強筋１８および前記上下の水平補強筋６，７と前記のように同一垂直面内に収めることができ、弓形定着筋１１の付加によっても補強材が梁幅方向で過密となることがない。
なお、多角形補強筋１８が六角形の場合は、両側部端が屈曲部となるので、弓形定着筋１１の中間部分１１ａは、その屈曲形状に沿った屈曲形状とする。
【００２６】
図５は、この発明のさらに他の実施形態を示す。この実施形態は、図１の実施形態の開口部補強構造を、梁長手方向に複数の開口部１が連続して並ぶＲＣ造梁２０に適用したものである。各開口部１の周囲には開口周囲補強材８となる複数の多角形補強筋１８がそれぞれ配置され、各多角形補強筋１８の上下辺にはそれぞれ共通の上下の水平補強筋６，７がフレア溶接により接合される。また、隣り合う多角形補強筋１８，１８の間では、その左右の辺同士がフレア溶接等により接合される。その他の構成は、図１の実施形態の場合と同様である。
【００２７】
この実施形態の場合、連続して配置される多角形補強筋１８が、図４の実施形態における弓型定着筋１１による定着効果をもたらすことになるので、補強材のコンクリート５への定着効果を向上させることができる。その他の効果は、図１の実施形態の場合と同様である。
【００２８】
図６ないし図８は、この発明のさらに他の実施形態を示す。この実施形態は、図１に示す実施形態において、開口周囲補強材８となる多角形補強筋１８を上下の水平補強筋６，７に溶接で接合せず、かつ図１の上下の部分あばら筋９，１０を、次の部分あばら筋対９Ａ，１０Ｂとしたものである。その他の各補強筋としては、図８に部品図を示すが、図１の実施形態と同じであり、水平補強筋６，７（図８（Ａ））と、あばら筋４とを用いる。
【００２９】
図８（Ｃ）に示すように、部分あばら筋対９Ａ，１０Ａは、それぞれ梁横断面の前後幅方向に延びるコ字形の一対の部分あばら筋９Ａａ，９Ａｂ，１０Ａａ，１０Ａｂを互いに向かい合わせてなる。一対のコ字形の部分あばら筋９Ａａ，９Ａｂは、図８（Ｄ）のように互いに隣り合わせて配置し、バインド線（図示せず）で緊結され、前記部分あばら筋対９Ａが構成される。これらコ字形の部分あばら筋９Ａａ，９Ａｂは、水平辺部で重ね継手の原理により定着する。下側のあばら筋対１０Ａは、上側のあばら筋対９Ａと互いに同じ構成である。
【００３０】
これら上下の各部分あばら筋対９Ａ，１０Ａで囲まれた範囲に、図６（Ｂ）に示すように、前記上端筋２または下端筋３と、上側の水平補強筋６または下側の水平補強筋７とが挿通させてある。前記八角形の多角形補強筋１８の上下端の水平辺部は、水平補強筋６，７と同じ高さとし、これら水平補強筋６，７に沿って配置する。
【００３１】
この実施形態の場合、部分あばら筋対９Ａ，１０Ａは、それぞれ閉鎖型ではない一対の部分あばら筋９Ａａ，９Ａｂ，１０Ａａ，１０Ａｂの組み合わせからなるので、閉鎖型の
多角形補強筋１８を後施工しても、部分あばら筋対９Ａ，１０Ａで囲まれた範囲に、多角形補強筋１８の上下の水平辺部を挿通させた状態に配置することができ、施工性の向上に寄与できる。
【００３２】
図９（Ａ），（Ｂ）は、上記実施形態における部分あばら筋対９Ａの他の構成例となる部分あばら筋対９Ｂを示す。この例では、図９（Ａ）のように梁横断面の前後幅方向に延びて両端にフック部９Ｂｂａを有する上側に開口した溝形の部分あばら筋９Ｂｂと、梁横断面の前後幅方向に延びて下側に開口した溝形の部分あばら筋９Ｂａとを、上下に互いに向かい合わせて図９（Ｂ）のように部分あばら筋対９Ｂを構成している。一対の溝形の部分あばら筋９Ｂａ，９Ｂｂは互いに隣り合わせて配置し、バインド線で緊結するか、あるいはフレア溶接等で接合することにより前記部分あばら筋対９Ｂが構成される。上側に開口した溝形の部分あばら筋９Ｂｂは、そのフック部９Ｂｂａを上端筋２に係合させるか、
多角形補強筋１８の水平辺部に係合させることにより定着を担保できる。下側に開口した溝形の部分あばら筋９Ｂｂは、その中央直線部を上端筋２に係合させるか、多角形補強筋１８の水平辺部に係合させることにより定着を担保できる。なお、この場合、図６の下側の部分あばら筋対１０Ａについても、図９（Ａ），（Ｂ）の例と同様の構成とする。
【００３３】
図９（Ｃ），（Ｄ）は、上記実施形態における部分あばら筋対９Ａ，９Ｂのさらに他の構成例を示す。この例では、図９（Ａ），（Ｂ）の例において、上下に対向する一対の部分あばら筋９Ｂａ，９Ｂｂのうち、片方の部分あばら筋９Ｂｂを同じとし、もう片方の部分あばら筋９Ｂａを、直線部分の両端からフック部９Ｂａａが延びる蟻溝形とし、下端筋３または上端筋２の上下に各部分あばら筋９Ｂａ，９Ｂｂのフック部９Ｂａａ，９Ｂｂａを係合させるようにしている。なお、この場合、図６の下側の部分あばら筋対１０Ａについても、図９（Ｃ），（Ｄ）の例と同様の構成とする。
【００３４】
図１０（Ａ）はこの発明のさらに他の実施形態にかかる開口部補強構造を適用したＲＣ造梁の縦断面図を示し、図１０（Ｂ）はその開口部補強構造を構成する補強材の正面図を示す。この実施形態では、図１の実施形態における多角形補強筋１８に代えて、開口部１の外周に沿う開口２９を有する平板状の開口付き補強鋼板２８を設けている。この開口付き補強鋼板２８の上下の辺は前記上下の水平補強筋６，７にそれぞれ沿わせてこれら水平補強筋６，７に、フレア溶接による溶接部３１で接合される。これら開口付き補強鋼板２８と水平補強筋６，７とは、梁長手方向に沿う同一の垂直面に配置される。
【００３５】
前記開口付き補強鋼板２８の上下の辺には、複数の小孔３０が形成され、上端筋２と上の水平補強筋６とを囲む部分あばら筋９の下端、および下端筋３と下の水平補強筋７とを囲む部分あばら筋１０の上端が、前記各小孔３０に挿通させてある。これにより、開口付き補強鋼板２８の上下の辺が、上下の水平補強筋６，７により強固に接合され、かつコンクリート硬化前における開口付き補強鋼板２８および水平補強筋６，７の置決めが成される。その他の構成は、図１の実施形態の場合と同様である。
【００３６】
この実施形態の場合も、上下の水平補強筋６，７と、開口周囲補強材８である開口付き補強鋼板２８とを、ＲＣ造梁１の長手方向に沿う同一垂直面内に収めることができるので、図１の実施形態の場合と同様に開口部１の周囲に配置される補強材が梁幅方向で過密とならないように開口部１を補強できる。
【００３７】
図１１（Ａ）はこの発明のさらに他の実施形態にかかる開口部補強構造を適用したＲＣ造梁の縦断面図を示し、図１１（Ｂ）はその開口部補強構造を構成する補強材の正面図を示す。この実施形態では、図１０の実施形態において、開口周囲補強材８である開口付き補強鋼板２８として、複数の定着用の孔３２を有する孔あき鋼板ジベルを用いている。その他の構成は、図１０の実施形態の場合と同様である。
【００３８】
この実施形態の場合、開口付き補強鋼板２８が複数の定着用の孔３２を有する孔あき鋼板ジベルであるため、その定着用孔３２により開口部１の周囲に配置する補強材のコンクリート５への定着効果をより一層向上させることができる。その他の効果は、図１０の実施形態の場合と同様である。
【符号の説明】
【００３９】
１…開口部
２…上端筋
３…下端筋
４…あばら筋
５…コンクリート
６…上の水平補強筋
７…下の水平補強筋
８…多角形補強筋（開口周囲補強材）
９，１０…部分あばら筋
９Ａ，１０Ａ…部分あばら筋対
１１…弓型定着筋
１１ａ…中間部分
１１ｂ…傾斜部分
１８…多角形補強筋（開口周囲補強材）
２０…ＲＣ造梁
２８…開口付き補強鋼板（開口周囲補強材）
２９…開口
３１…溶接部
３２…定着用の孔
【図１】
0005908518.tif 000002
【図２】
0005908518.tif 000003
【図３】
0005908518.tif 000004
【図４】
0005908518.tif 000005
【図５】
0005908518.tif 000006
【図６】
0005908518.tif 000007
【図７】
0005908518.tif 000008
【図８】
0005908518.tif 000009
【図９】
0005908518.tif 000010
【図１０】
0005908518.tif 000011
【図１１】
0005908518.tif 000012